(57)【要約】      （修正有）【課題】時計ごとにソーラーセルを専用品で製作することなく、様々な時計のモデルバリエーションに対応することが可能なソーラーセルを提供する。【解決手段】二本の接続電極が配置されたフレキシブルプリント基板のように柔軟性がある、かつ曲率半径の小さい円弧に曲げることが可能な基板上に所定の長さで設定されたソーラーセルを時計外装の角部もしくは巻真部、プッシュボタン部を避ける形で圧着もしくは接着により複数組み合わせることで一つの帯状ソーラーセル構造体を構成することにより様々なモデルバリエーションに対応させる。【選択図】図３
2015169463.tif 000002
【特許請求の範囲】
【請求項１】
電力取り出し用の電極を有する複数個のソーラーセルと、
前記電極と接続するための配線を有する基板を有し、
前記複数個のソーラーセルを前記配線に接続した状態で、
前記配線は、前記ソーラーセルが連なる方向に連なっている
ことを特徴とするソーラーセル構造体。
【請求項２】
前記基板は開口部を有し、該開口部と前記ソーラーセルは平面視で重ならない
ことを特徴とする請求項１に記載のソーラーセル構造体。
【請求項３】
前記ソーラーセルと前記基板の外形は方形であり、
前記基板の長辺方向に前記複数個のソーラーセルが配置され、前記配線と接続される
ことを特徴とする請求項２に記載のソーラーセル構造体。
【請求項４】
前記基板は円形であり、前記配線は周方向に連なり、
前記ソーラーセルは円弧形状に形成される
ことを特徴とする請求項２に記載のソーラーセル構造体。
【請求項５】
請求項３に記載のソーラーセル構造体をムーブメントの側面に配置し、
前記開口部に、外部操作部材の伝達部分を配置した
ことを特徴とするソーラーセル付電子時計。
【請求項６】
請求項４に記載のソーラーセル構造体を、
時計の厚さ方向で、文字板とムーブメントの間に配置し、
前記開口部を、表示窓部や指針穴に対応させて配置した
ことを特徴とするソーラーセル付電子時計。
【発明の詳細な説明】
【技術分野】
【０００１】
本発明は、ソーラーセルおよびソーラーセル付電子時計の構造に関する内容である。
【背景技術】
【０００２】
環境エネルギーという観点からソーラーセルによる発電を用いた電子機器は現在様々な分野で活用されている。例えば腕時計や電卓などの小型の電子機器から火力発電に変わる発電源として大きなものまで存在する。その中でもソーラーセルを用いた時計は製品として数多く普及している。
【０００３】
従来のソーラーセル付電子時計の多くは、ソーラーセルを光透過性の文字板の下に配置する構造をとっており、ソーラーセルで光発電を行うために、文字板は一定量以上の光を透過する光透過性文字板ではなくてはならなかった。従って、一次電池を用いた電子時計のように装飾性の優れた金属文字板を使用することが出来ないというのが一般的である。
【０００４】
それを解決する手段として、可撓性を有する基板上にアモルファスシリコン層からなる光電変換層を、下部透明電極と上部金属電極とで挟持した太陽電池素子を有する帯状のソーラーセルを形成し、これを時計ムーブメント上に配した略円形状の文字板の外周縁に沿ったリング状土手の内面に配置するソーラーセル付電子時計が提案されている（ 実施例：特許文献１ 参照）。
【０００５】
前述した文字板下にソーラーセルを配置したソーラーセル付電子時計は、文字板に光透過性のプラスチック文字板、セラミック文字板等しか使用できなかったが、帯状のソーラーセルを文字板の外周縁に沿って配置したソーラーセル付電子時計とすれば、文字板材料が限定されず、前述した金属文字板だけでなく、白色文字板、有色文字板等の文字板をデザインに応じて使用することができるようになり、時計のデザイン性を格段に向上させることが出来る様になる。
【先行技術文献】
【特許文献】
【０００６】
【特許文献１】特開２００６−８４３１７号公報（図１）
【発明の概要】
【発明が解決しようとする課題】
【０００７】
従来のソーラーセルを文字板に対して略鉛直に配置したソーラーセル付電子時計ソーラー発電機構を用いた電子機器において、角型外装に対応するため特許文献１のように時計形状の角部に合わせ伸展性と導電性を有する接続電極を用いることにより課題を解決しているが、時計の外装形状、例えば竜頭の巻真やプッシュボタンの押力伝達部材の位置にソーラーセルの切り欠き部が合うように、ソーラーセルの接続電極位置を設定する必要があるため、外装の形状ごとにソーラーセルの接続電極位置を設定する、あるいはソーラーセルの形に合わせ外装を製作しなくてはいけない。よって時計としてのモデルバリエーションを増やすためには、モデルごとにソーラーセルを専用品として製作しなければいけないという問題があった。
【０００８】
本発明では、上記のような問題点を解決し、一つ一つ時計ごとにソーラーセルを専用品で製作することなく、様々な時計のモデルバリエーションに対応することが可能なソーラーセルを提供することを目的とする。
【課題を解決するための手段】
【０００９】
上記の問題点を解決するためには、以下のような構成にすると良い。
本発明のソーラーセルは、二本の接続電極が配置されたフレキシブルプリント基板のように柔軟性がある、かつ曲率半径の小さい円弧に曲げることが可能な基板上に所定の長さで設定されたソーラーセルを時計外装の角部もしくは巻真部、プッシュボタン部を避ける形で圧着もしくは接着により複数組み合わせることで帯状のソーラーセルを構成することを特徴とする。このフレキシブルプリント基板には時計の外周に存在するプッシュボタンや巻真用の穴を自由に開けることが可能である。
【発明の効果】
【００１０】
本発明のソーラーセルを使用することにより、自由に長さの違うソーラーセルを組み合わせることができ、前記竜頭の巻真やプッシュボタンの押力伝達部材を通すための穴位置の変更も容易なことから、時計のモデルごとにソーラーセルを専用品で製作することなく、数種類のソーラーセルを設定するだけで様々な時計のモデルバリエーションに対応することが可能となる。
【００１１】
上記のようなソーラーセルを用いることで異型形状のソーラーセル付電子時計に搭載することが出来、金属文字板、白色文字板、有色文字板等からなる文字板を任意に選定して、より装飾性に優れた形態とすることが可能である。
【図面の簡単な説明】
【００１２】
【図１】ソーラーセル単体の斜視図
【図２】フィルム基材の斜視図
【図３】ソーラーセルとフィルム基板を組み合わせたソーラーセル構造体の平面図
【図４】従来のフィルムソーラーセルの平面図
【図５】フィルム基板のカットする状態を示す図
【図６】ソーラーセル構造体を角型形状のムーブメントに巻きつけ状態の斜視図
【図７】ソーラーセルと角型ムーブメントの分解斜視図
【図８】フィルム基板に粘着シート層を設けた場合の斜視図
【図９】フィルム基板に粘着シート層を設けた際の断面図
【図１０】ソーラーセルを文字板下に配置した際の概略図
【図１１】ソーラーセルを文字板下に配置した際の上面図
【図１２】従来の文字板下に配置されるソーラーセルの平面図
【図１３】シートから個別に切り出す前のソーラーセルを示す斜視図
【発明を実施するための形態】
【００１３】
［第一実施形態］
（１）ソーラーセル構造体の基本構成
以下、本発明の第一の実施形態の説明を行う。
図１は、本発明におけるソーラーセルの斜視図であり、幅は同じであるが長さの異なるソーラーセルを数種類用いる。例えば、ソーラーセル２とソーラーセル２に対して、その２倍の長さを持つソーラーセル３と、半分の長さのソーラーセル４とを用いるのである。それぞれのセルの下面側で長手方向の１端辺には、ソーラーセルで発電した電力を取り出す電極２ａおよび２ｂが設けてある。電極の位置はそれぞれのセルで同一である。ソーラーセル２，３，４の基材は特に限定されないが、後述の如く曲げて使用する可能性があるので、可撓性にあるフィルム素材が好ましい。
【００１４】
図２は、柔軟性を持ったフィルム基材１を示す斜視図であり、図２における各ソーラーセルの２つの電極間と同じ幅だけ離れた位置に、基材配線部１ａと基材配線部１ｂが平行に設置される。基材配線部１ａと１ｂは、図示しない電極を介して図示しない時計回路の
電源制御部に接続されている。
電極２ａ、２ｂ、基材配線部１ａ、１ｂの材質は特に限定されないが、後述の如くフィルム基材１を曲げて使用するため、柔軟性が高い金属配線が適している。また、基材配線部１ａ、１ｂは長く配線される可能性もあるので、その点でも低抵抗の金属配線のほうが好ましい。
【００１５】
以下、ソーラーセル２を例にとり、フィルム基材へのソーラーセル固定方法を説明する。フィルム基材１の基材配線部１ａにソーラーセル２の電極２aが接触し、基材配線部１ｂにソーラーセル２の電極２ｂが接触するようにフィルム基材１にソーラーセル２を配置し、接着手段もしくは圧着手段により固定する。
そして、フィルム基材に複数のソーラーセルを前述の方法でフィルム基材の長手方向に固定し、帯状ソーラーセル構造体５０（図３参照）を構成する。複数のソーラーセルで光を受けて発電した電力は、基材配線部１ａと１ｂを介して時計回路の電源制御部に流れ、図示しない２次電池に蓄電されたのち時計動作に使用される。
本実施例では、複数のソーラーセルとフィルム基材の接続は全て並列つなぎにより行われているが、高い発電電圧を要する場合は、複数のソーラーセルが直列つなぎになるように基材配線部１aと１ｂを配置してソーラーセルの電極と接触させ、帯状ソーラーセル構造体５０を構成しても良い。
【００１６】
図３はフィルム基材１、ソーラーセル２、３、４を組み合わせ帯上のソーラーセル構造体を形成した状態の図である。
帯状ソーラーセル構造体５０は、図示しない時計ムーブメント上の文字板外周縁に沿って直立するように、かつ、ムーブメント側面に巻きつけるように配置するため、竜頭操作を時計ムーブメントに伝える巻真と帯状ソーラーセル構造体５０が干渉する位置にあり、これらの部材の干渉をさけるため帯状ソーラーセル構造体５０の一部に巻真が通せるように、逃げ穴１ｃを設ける必要がある。これは、プッシュボタンの操作をムーブメントに伝達する伝達部材に対しても同様であり、伝達部材が通る位置に帯状ソーラーセル構造体５０に逃げ穴を設ける必要がある。
【００１７】
図４は、従来から使用されている１枚のソーラーセルで構成された帯状ソーラーセル構造体６０であり、以下、従来型ソーラーセル構造体と呼ぶ事にする。またＣは、図３における逃げ穴１ｃと同じく竜頭の巻真を通すための逃げ穴である。Ｂは、逃げ穴Ｃによりソーラーセルの電極面積が細くなった部位を示している。
【００１８】
従来型ソーラーセル構造体６０を前記のように、図示しない時計ムーブメントの外周縁に沿って直立させて使用した場合、時計ケースとムーブメントの大きさによってケースとムーブメントの周囲長が変わり、帯状ソーラーセル構造体の長さと穴位置も変わってしまうため、時計ケースの大きさごとに帯状ソーラーセル構造体を用意しなくてはならず、生産コストがかさんでしまう。また、一般にソーラーセルは、既定面積のソーラーセルシートから型抜き等により切り出されるものであるから、ソーラーセル長が長くなるほど取れ個数は少なくなり、切り出しできずに残るソーラーセルシートの面積も大きくなるため、更に生産コストに悪影響を与える。
【００１９】
本発明では、逃げ穴部分にはソーラーセルを配置しないが、それ以外の部位には、ソーラーセル２、３、４のように長さの違うセルを組み合わせて複数のソーラーセルをフィルム基材の長手方向に固定しソーラーセル構造体を形成するため、ケースとムーブメントの大きさが変わり、その周囲長が変わったとしても、ソーラーセル２、３、４の組み合わせで対応が可能であり、帯状ソーラーセル構造体を新たに用意する必要が無い。
さらに、ソーラーセルシートからの切り出しに関しても、ソーラーセル２のように短い長さで型抜きが可能なため、切り出しできずに残るソーラーセルシートの面積は少なくて済
み、生産性が向上する。
【００２０】
従って、ケースやムーブメントの大きさやプッシュボタンの有無などの仕様が変わった場合でも、帯状ソーラーセル構造体を新たに用意することなく、従来型ソーラーセル構造体と同等の発電面積が得られるため、同等の発電量を得ることが可能になる。
ところで、時計の外装形状として一般的には丸型が基本であるが、樽型や角型の外装ケースのものなど様々な形状のものが存在する。角型のケースで時計ムーブメントの外周縁に沿ってソーラーセルを直立させて使用する場合は、図４のような従来型ソーラーセル構造体でも１ｍｍ程度までの曲げについては対応可能である。よって曲率半径の大きなものについては対応出来る場合もある。
しかしながら、ソーラーセルの発電層であるアモルファスシリコン層は非常に脆い材質であるため、半径の小さい曲げについては対応できず破壊されてしまうため、曲率の小さいものに対応できないという性質があるといえる。
【００２１】
図３に示すように、時計の角部に対応する部分については、ソーラーセル同士の隙を空け、フィルム基材を角型ムーブメント角部と合わせた曲げ部Ａを設けることにより、屈曲が容易になり、従来型ソーラーセル構造体に比べてソーラーセルに応力が掛る事がなく、ソーラーセルの破断を防止することが可能になる。時計の場合複雑に穴や角部が存在するが、このフィルム基材１は穴や形状の加工が非常に容易であるため、時計にあわせ対応することが可能である。
【００２２】
特許文献１のように導電性と伸展性の両方機能を兼ね備えた電極を形成することにより、角型のムーブメントに対応させることは可能ではあるが、電極部分とソーラーセル部分を専用に製作する必要がある。各時計のモデルに合わせソーラーセルを製作しなくてはならないため、従来の時計で使用されるソーラーセル同様コストの面で非常に不利であるといえる。
【００２３】
本発明のように、所定の長さのソーラーセルを数種類用意しておけば、ソーラーセル２をフィルム基材１の曲げたい場所あるいは穴を開けたい場所から逃がして貼り付けを行うことにより、様々な時計の形状や大きさに対応できることから、新モデルを作成するごとにソーラーセルを新しく用意する必要がない。使用する部品も共通のものを任意に選び使用できることから、コストの面で非常にメリットがあるといえる。
【００２４】
また、図４のように従来型ソーラーセル構造体で逃げ穴Ｃを設ける場合にＢのソーラーセルの部位ではソーラーセルの電極が細くなってしまうため、部分Ｂの電気抵抗が非常に高く電力ロスが非常に大きい。よって、ソーラーセルに穴を開けソーラーセル面積部分を極端に減らした部分を作るというのは出来るだけ避けたい部分である。本発明では、電気抵抗の少ない基材配線部１ａ、１ｂを設置しており、逃げ穴１ｃがあっても電気抵抗の少ない基板配線部１ａ、１ｂを介してソーラーセル間を接続する事が可能である。よって、時計のように巻真穴やプッシュボタン用の穴など複雑に穴を開ける必要がある場合、本発明の構造がソーラーセルの発電電力を有効に利用する面では有利といえる。
【００２５】
図５ではフィルム基材を加工する際の状態を表している。図５に示すようにフィルム基材１は柔軟性が高くロール状に出来るため、場所をとらず取り扱いの面でも非常に扱いやすい。このロール状にされたフィルム基材１を必要な長さでＤ部のように切り取ることにより使用することが可能である。基材となるフィルム基材１をムーブメントの外周形状に合わせ必要分を切り取り、角もしくは穴部を避け数種のソーラーセルの中から自由に組み合わせ、フィルム基材１に圧着等により固定を行う。組み合わせ方は時計に合わせ自由に出来ることから、今までのようにモデルごとにソーラーセルを製作する必要がない。共通部品の組み合わせながらも自由度が非常に高いため形状や時計の仕様に合わせた幅広いモ
デルに対応出来、コストの面でも非常に有利であるといえる。
【００２６】
（２）角型時計への応用
図６は帯状ソーラーセル構造体を角型形状のムーブメントに巻きつけた状態の図、図７はソーラーセルと角型ムーブメントの構成図である。
フィルム基材７は、図５に示したフィルム基材１をムーブメント６の形状に合わせ切り取ったものである。フィルム基材７にはフィルム基材１同様にフィルム基材配線部７ａ、７ｂが形成されており、所定の長さ設定されたソーラーセル８、９、１０、１１、１２が圧着により固定されている。このフィルム基材７には巻真逃げ用穴７ｃが設けられており、角型用ムーブメント６の外周形状角部についてはソーラーセルを配置せず曲げに対応した形状となっている。この帯状ソーラーセル構造体は角型ムーブメントの文字板５とソーラーセル保持枠６ａにより支持され垂直に時計外周に固定される。
【００２７】
なお、図６，７では、フィルム基材７の開口は巻真逃げ用穴７ｃのみに設置しているが、角部での剛性を下げるために、角部に開口を設置しても良い。
ムーブメント外周に帯状ソーラーセル構造体を巻きつけ光を受光するような時計では、図６、図７のような構成とすることで、外形形状や大きさが変わっても各時計のサイズに対応することができ、帯状ソーラーセル構造体の形状に自由度を持たせることが可能である。今回の実施例では、巻真部と四角形状のムーブメント外形の角部にソーラーセルを配置しない構成としているが、もちろん多角形のムーブメント形状や樽型形状の角部や、プッシュボタンの稼働域を逃がすようにソーラーセルを組み合わせて配置することでモデルバリエーションに対応することが可能である。
【００２８】
（３）第一実施形態の変形例
図８はフィルム基板に粘着シート層を設けた場合の斜視図、図９はフィルム基板に粘着シート層を設けた際の断面図である。図８に示すように、フィルム基材１４上にフィルム基材配線部１４ａ、１４ｂだけでなく、フィルム基材粘着部１４ｃを配置している。
このようにすることにより、従来であればフィルム基材１４上にソーラーセルを圧着する工程が必要であるが、所定の長さに設定された複数のソーラーセルとフィルム基材配線部１４ａ、１４ｂとで導通が取れるように合わせ、粘着材により接着することで工程の容易化を行うことが可能となる。
なおフィルム基材粘着部１４ｃは、光硬化接着剤や熱硬化型の接着剤を用いることで、フィルム基材とソーラーセルの接着固定した後に、ソーラーセルとの接着面ではない、粘着層がむき出しとなっている部分の粘着を防ぐことが可能であり、組み立て時の埃がゴミ等を吸着することなく使用することが可能である。
【００２９】
［第二実施形態］
図１０はソーラーセル構造体を文字板下に配置した際の概略図、図１１はソーラーセル構造体を文字板下に配置した際の上面図である。
ムーブメント外周に帯状ソーラーセル構造体を巻き付けることでの優位性は上記に示した通りであるが、図９、図１０のように半透過文字板の下にソーラーセル構造体を配置した時計の場合においても本発明は有効である。
【００３０】
図１０に記載の時計のように小針真１６、針真１７、カレンダー部(日窓など)１８を持つような構成は一般的であるが、時計により針の位置やカレンダー位置は様々である。
まず、図１０を用いて説明を行う。
【００３１】
文字板１５とムーブメント２１上面の間に基材２０ａを配置。この基材２０ａには基材配線部２０ｂと２０ｃが同心円上に構成されている。
基材２０ａの円周上にある基材配線部２０ｂと２０ｃに、円弧状に分割されたソーラーセ
ル２２の下面に設置したソーラーセル電極部２２ａ、２２ｂが接触導通するように位置を合わせ、接着あるいは圧着により固定する。ソーラーセル２３、２４、２５はソーラーセル２２と同様に電極部を持ち、それら電極も基材配線部２０ｂと２０ｃに接触導通させて固定する。このようにすることで、それぞれのソーラーセルで発電された電力は、基材配線部２０ｂと２０ｃを介して図示しない時計回路の電源制御部における２次電池に蓄電され、時計動作に使われる。
【００３２】
文字板下にソーラーセルを配置したソーラーセル付き電子時計では、液晶セルなどのデジタル表示部を表示するための開口や、針を取り付ける針真を通す穴をソーラーセルに開ける必要があり、針の位置やデジタル表示部の位置などが時計により異なるため、各時計に合わせた専用のソーラーセルを作成する必要があった。
【００３３】
また、図１２で示すように、従来のような多段のソーラーセルを組み合わせたものの場合、配置次第では針真やデジタル表示部が貫通する箇所とソーラーセルの分割線の箇所が接近してしまい、図１２のＥ部のようデジタル表示部用窓部２６のようにソーラーセルの面積が狭い箇所が発生してしまう。この部分は時計構成上どうしても避けられない部分ではあるが上記した通り電極抵抗が高く発電時のロスが大きくなってしまう。
【００３４】
本発明であれば、デジタル表示部用の開口や針真を通す穴を避け、時計の表示部に合わせソーラーセルを配置し圧着もしくは接着による固定を行うため、ソーラーセル電極部の面積が狭くなってしまうということもなく、電気抵抗が高くなることによる電力のロスをなくすことが出来る。また、ソーラーセルを、時計の仕様にあわせ自由に組み合わせることが出来るため、時計の表示手法のバリエーション影響されることなく製作することが可能である。
【００３５】
図１１は図１０を上面側から見た図である。具体的な実施例いついてはこの図を使用して各ソーラーセルとその他の部品の配置説明を行う。ムーブメント２１の上に基材２０ａが配置され、この基材２０ａ上に基材電極部２２ａ、２２ｂが配置されており、ムーブメント２１と同心円上に配置される。ここでは、基材電極部２２ａと２２ｂとが同心上に配置されているが、ソーラーセルの電力を取り出すための基材電極部が互いに接触しないように配置されていればよく、デジタル表示部や針真の位置の関係から同心上に配置することが無理なようであれば、必ずしも同心上に配置する必要は無い。例えば、円周ではなく、円弧状に配線してもよく、要は、周方向に配線されていれば良い。
【００３６】
円弧状に分割されたソーラーセル２２、２３、２４、２５には、それぞれソーラーセル電極部２２ａと２２ｂ、２３ａと２３ｂ、２４ａと２４ｂ、２５ａと２５ｂが配置される。各ソーラーセルに配置されたソーラーセル電極部は基材電極部の位置に合わせ、設置することによりソーラーセルで発電した電力を回収することが可能である。ここでは、ソーラーセル２２、２３、２４が同一サイズのソーラーセルであり、ソーラーセル２５は他の３つと比べ角度の狭いものである。このようなソーラーセルを組み合わせることにより、小針真１６、針真１７、カレンダー部１８を避けるように配置することが可能である。
【００３７】
同じベースのムーブメントを使用しカレンダー位置の変更、針真位置の変更などを行うことは、開発費用の削減も可能であるため製品展開上多々ある。この場合、従来のソーラーセル構造体を使用する場合は、細かな変更であっても前記穴の位置やサイズの違いにより、専用でソーラーセルを製作する必要があったが、本発明によれば、前記穴などソーラーセルを抜く位置が変わったとしても、サイズの異なるソーラーセルを組み合わせて、ソーラーセルを抜く位置を変更することができるため、各時計に合わせ専用でソーラーセルを製作する必要がなくなり、多くの時計モデルバリエーションに対応可能である。
【００３８】
図１３は、ソーラーセルシートからソーラーセルを打ち抜く際に、取れ個数を向上させるための型抜き配置を示したものであり、図１１の説明で使用した円弧状に分割されたソーラーセル２７ａ〜ｍを、それぞれの円弧が互い違いの方向を向き隣り合うように型抜き配置したものである。
【００３９】
従来文字板下に配置されるソーラーセルは、四角いシート状の基材から金型等により形状で打ち抜き生産しているが、時計のように形状が丸型である場合、取り個数が少なく廃棄される面積が大きい。本発明のように、分割されたソーラーセル２６を互い違いにならべ直線状に並べることで、無駄な部分を最小限にすることが出来、一枚のシートからの取り個数を増やすこと可能である。よって、生産性の向上と大きなコストダウン効果が見込める。
【符号の説明】
【００４０】
Ａ  フィルム基材を角型ムーブメント角部と合わせるための曲げ部
Ｂ  ソーラーセルの電極が細くなってしまう部分
Ｃ  従来のソーラーセル構造体穴部
Ｄ  フィルム基材の切り取り部
Ｅ  一般的に文字板下で使用するソーラーセルの電極が細くなってしまう部分
１  フィルム基材
１ａ  フィルム基材配線部
１ｂ  フィルム基材配線部
１ｃ  巻真逃げ穴
２  所定の長さに設定されたソーラーセル
２ａ  ソーラーセル電極部
２ｂ  ソーラーセル電極部
３  所定の長さに設定されたソーラーセル
４  所定の長さに設定されたソーラーセル
５  文字板
６  角型用のムーブメント
６ａ  ソーラーセル保持枠
７  フィルム基材
７ａ  フィルム基材配線部
７ｂ  フィルム基材配線部
７ｃ  巻真逃げ用穴
８  所定の長さに設定されたソーラーセル
９  所定の長さに設定されたソーラーセル
１０  所定の長さに設定されたソーラーセル
１１  所定の長さに設定されたソーラーセル
１２  所定の長さに設定されたソーラーセル
１３  巻真
１４  フィルム基材
１４ａ  フィルム基材配線部
１４ｂ  フィルム基材配線部
１４ｃ  フィルム基材粘着部
１５  文字板
１６  小針真
１７  針真
１８  カレンダー部
１９  巻真
２０ａ  基材
２０ｂ  基材配線部
２０ｃ  基材配線部
２１  ムーブメント
２２  円弧状に分割されたソーラーセル
２２ａ  ソーラーセル電極部
２２ｂ  ソーラーセル電極部
２３  円弧状に分割されたソーラーセル
２３ａ  ソーラーセル電極部
２３ｂ  ソーラーセル電極部
２４  円弧状に分割されたソーラーセル
２４ａ  ソーラーセル電極部
２４ｂ  ソーラーセル電極部
２５  円弧状に分割されたソーラーセル
２５ａ  ソーラーセル電極部
２５ｂ  ソーラーセル電極部
２６  デジタル表示窓部
２７ａ  円弧状に分割されたソーラーセル
２７ｂ  円弧状に分割されたソーラーセル
２７ｃ  円弧状に分割されたソーラーセル
２７ｄ  円弧状に分割されたソーラーセル
２７ｅ  円弧状に分割されたソーラーセル
２７ｆ  円弧状に分割されたソーラーセル
２７ｇ  円弧状に分割されたソーラーセル
２７ｈ  円弧状に分割されたソーラーセル
２７ｉ  円弧状に分割されたソーラーセル
２７ｊ  円弧状に分割されたソーラーセル
２７ｋ  円弧状に分割されたソーラーセル
２７ｌ  円弧状に分割されたソーラーセル
２７ｍ  円弧状に分割されたソーラーセル
【図１】
2015169463.tif 000003
【図２】
2015169463.tif 000004
【図３】
2015169463.tif 000005
【図４】
2015169463.tif 000006
【図５】
2015169463.tif 000007
【図６】
2015169463.tif 000008
【図７】
2015169463.tif 000009
【図８】
2015169463.tif 000010
【図９】
2015169463.tif 000011
【図１０】
2015169463.tif 000012
【図１１】
2015169463.tif 000013
【図１２】
2015169463.tif 000014
【図１３】
2015169463.tif 000015